(57)【要約】【課題】簡易な構造で把持性を向上できるゲーブルトップ型容器を提供すること。【解決手段】ゲーブルトップ型容器１は、筒状胴部２と、底部３と、切妻屋根４とを備え、切妻屋根４は、互いに対向する一対の屋根パネル４１、４２と、一対の屋根パネル４１、４２の対向方向に交差する方向で互いに対向し、一対の屋根パネル４１、４２の間に折り込まれる一対の妻壁パネル４４と、一対の屋根パネル４１、４２の上端部および一対の妻壁パネル４４の上端部が接合されて形成されたトップシール４６とを備え、筒状胴部２は、ゲーブルトップ型容器１の開封部側に設けられた胴部パネルと、開封部側の胴部パネルに対向して配置された非開封部側の胴部パネル２４とを備え、開封部側の胴部パネルは、矩形形状とされ、非開封部側の胴部パネル２４は、水平方向の幅が開封部側の胴部パネルの幅よりも広い幅広部２４１を備えている。【選択図】図１
2019123540.tif 000002
【特許請求の範囲】
【請求項１】
ゲーブルトップ型容器であって、
筒状胴部と、
前記筒状胴部の下端に連設された底部と、
前記筒状胴部の上端に連設された切妻屋根とを備え、
前記切妻屋根は、
互いに対向する一対の屋根パネルと、
前記一対の屋根パネルの対向方向に交差する方向で互いに対向し、前記一対の屋根パネルの間に折り込まれる一対の妻壁パネルと、
前記一対の屋根パネルの上端部および前記一対の妻壁パネルの上端部が接合されて形成されたトップシールとを備え、
前記筒状胴部は、当該ゲーブルトップ型容器の開封部側に設けられた胴部パネルと、前記開封部側の胴部パネルに対向して配置された非開封部側の胴部パネルとを備え、
前記開封部側の胴部パネルは、矩形形状とされ、
前記非開封部側の胴部パネルは、水平方向の幅が前記開封部側の胴部パネルの幅よりも広い幅広部を備えていることを特徴とするゲーブルトップ型容器。
【請求項２】
前記非開封部側の胴部パネルは、前記開封部側の胴部パネルと同じ幅で前記底部に連なる同幅部を備えていることを特徴とする請求項１に記載のゲーブルトップ型容器。
【請求項３】
前記幅広部は、前記底部から前記筒状胴部の高さの３０％以上８０％以下の範囲内の位置に設けられていることを特徴とする請求項１または請求項２に記載のゲーブルトップ型容器。
【発明の詳細な説明】
【技術分野】
【０００１】
本発明は、牛乳、乳飲料、ジュース等の飲料液体やヨーグルト、ゼリー等のゲル状食品を収容するゲーブルトップ型容器に関する。
【背景技術】
【０００２】
従来、牛乳カートンに代表される飲料用等の紙容器として、表裏面に熱可塑性樹脂を積層した板紙素材で構成されるゲーブルトップ型容器がある。ゲーブルトップ型容器は、飲料液体等が収容される筒状胴部と、筒状胴部の上端に連設され、開封部が設けられた切妻屋根とを備えている。このようなゲーブルトップ型容器として、飲料液体等を注ぐ際の容器の把持性を向上させようとしたものが知られている（例えば、特許文献１、２参照）。
【０００３】
特許文献１に記載のゲーブルトップ型容器は、利用者の把持力によって筒状胴部が開封部側で凹むように構成されている。
特許文献２に記載のゲーブルトップ型容器は、筒状胴部を構成する４つの胴部パネルうちの３つを内側に凹ませた状態で、中央の胴部パネルの両端部を両隣の胴部パネルに接着したリブが形成され、このリブに指を引っ掛けやすくしている。
【先行技術文献】
【特許文献】
【０００４】
【特許文献１】特開２０１３−４３６８６号公報
【特許文献２】特開２０１７−２４７４１号公報
【発明の概要】
【発明が解決しようとする課題】
【０００５】
特許文献１に記載のゲーブルトップ型容器は、飲料液体等が収容された状態で容器を凹ませなければならず、相応の力で把持しなければならない点で、把持性を向上できないという問題がある。
特許文献２に記載のゲーブルトップ型容器は、胴部パネルの両端部を両隣の胴部パネルに接着してリブを形成する必要があるため、構造が複雑になるという問題がある。
【０００６】
本発明の目的は、簡易な構造で把持性を向上できるゲーブルトップ型容器を提供することにある。
【課題を解決するための手段】
【０００７】
本発明のゲーブルトップ型容器は、筒状胴部と、前記筒状胴部の下端に連設された底部と、前記筒状胴部の上端に連設された切妻屋根とを備え、前記切妻屋根は、互いに対向する一対の屋根パネルと、前記一対の屋根パネルの対向方向に交差する方向で互いに対向し、前記一対の屋根パネルの間に折り込まれる一対の妻壁パネルと、前記一対の屋根パネルの上端部および前記一対の妻壁パネルの上端部が接合されて形成されたトップシールとを備え、前記筒状胴部は、当該ゲーブルトップ型容器の開封部側に設けられた胴部パネルと、前記開封部側の胴部パネルに対向して配置された非開封部側の胴部パネルとを備え、前記開封部側の胴部パネルは、矩形形状とされ、前記非開封部側の胴部パネルは、水平方向の幅が前記開封部側の胴部パネルの幅よりも広い幅広部を備えていることを特徴とする。
【０００８】
本発明によれば、飲料液体等を注ぐ際に上方側に位置する非開封部側の胴部パネルに、下方側に位置する開封部側の胴部パネルの幅よりも広がった幅広部を設けたので、簡易な構造でゲーブルトップ型容器の把持性を向上できる。
【０００９】
本発明のゲーブルトップ型容器において、前記非開封部側の胴部パネルは、前記開封部側の胴部パネルと同じ幅で前記底部に連なる同幅部を備えていることが好ましい。
【００１０】
本発明によれば、非開封部側の胴部パネルと開封部側の胴部パネルとを底部側で同じ幅にしたので、筒状胴部における底部側の領域が幅方向に突出せず、複数のゲーブルトップ型容器をケースに収容する際に、ゲーブルトップ型容器同士が干渉することを抑制できる。
【００１１】
本発明のゲーブルトップ型容器において、前記幅広部は、前記底部から前記筒状胴部の高さの３０％以上８０％以下の範囲内の位置に設けられていることが好ましい。
【００１２】
本発明によれば、利用者がゲーブルトップ型容器を把持する傾向にある高さ位置に幅広部が設けられるため、ゲーブルトップ型容器の把持性を効果的に向上できる。
【００１３】
本発明のゲーブルトップ型容器は、牛乳、乳飲料、ジュース等の飲料液体やヨーグルト、ゼリー等のゲル状食品の収容に用いられることが好ましい。
【００１４】
本発明によれば、ゲーブルトップ型容器が牛乳、乳飲料、ジュース等の飲料液体やヨーグルト、ゼリー等のゲル状食品の収容に用いられるため、ゲーブルトップ型容器の汎用性を活かすことができる。
【図面の簡単な説明】
【００１５】
【図１】本発明の一実施形態に係るゲーブルトップ型容器の斜視図。
【図２】ゲーブルトップ型容器の展開図。
【図３】ゲーブルトップ型容器を把持した状態を示す斜視図。
【図４】ゲーブルトップ型容器を把持した状態を示す平面図。
【図５】本発明の変形例に係るゲーブルトップ型容器の展開図。
【発明を実施するための形態】
【００１６】
以下、本発明の一実施形態を図面に基づいて説明する。
なお、以下の記載において方向を表す場合、図１に示すように、ゲーブルトップ型容器１を起立させた状態を基準とする。
【００１７】
図１は、本実施形態に係るゲーブルトップ型容器１を示す斜視図である。図２は、ゲーブルトップ型容器１の展開図（ゲーブルトップ型容器用パネル１０（カートンブランクとも称する）の平面図）である。ゲーブルトップ型容器１は、表裏面に熱可塑性樹脂を積層した板紙素材で構成され、牛乳、乳飲料、ジュース等の飲料液体やヨーグルト、ゼリー等のゲル状食品の収容に用いられる。
図１および図２において、ゲーブルトップ型容器１は、筒状胴部２と、筒状胴部２の下端に連設された底部３と、筒状胴部２の上端に連設された切妻屋根４とを備えている。
【００１８】
筒状胴部２は、上下方向に延びる胴部縦折線２１Ａ、２３Ａ、２４Ａを介して当該筒状胴部２の周方向（水平方向）に連なる４つの胴部パネル２１〜２４と、胴部縦折線２２Ａを介して胴部パネル２２に連なるシールパネル２５とを備えている。胴部パネル２１〜２４は、シールパネル２５が胴部パネル２４に加熱シールされることで、略角筒状の筒状胴部２を形成する。
【００１９】
胴部縦折線２１Ａ、２３Ａ、２４Ａは、いずれも上下方向に延びる直線で構成されている。これに対し、胴部縦折線２２Ａは、シールパネル２５の幅方向の外側に向かって凸状とされた曲線と、当該曲線よりも上側および下側の位置で上下方向に延びる直線とで構成されている。
【００２０】
胴部パネル２１、２３は、いずれも矩形形状とされている。胴部パネル２３は、ゲーブルトップ型容器１の開封部側に設けられている。
胴部パネル２４は、胴部パネル２３に対向して配置され、ゲーブルトップ型容器１の非開封部側に設けられている。胴部パネル２４の胴部パネル２２側の側端縁２４Ｂは、胴部パネル２４の幅方向の外側に向かって凸状とされた曲線と、当該曲線よりも上側および下側の位置で上下方向に延びる直線とで構成されている。
【００２１】
胴部パネル２４は、水平方向の幅が胴部パネル２３の幅よりも広い幅広部２４１と、幅広部２４１の下方に設けられ、胴部パネル２３と同じ幅で底部３に連なる同幅部２４２と、幅広部２４１の上方に設けられ、胴部パネル２３と同じ幅で切妻屋根４に連なる同幅部２４３とを備えている。
幅広部２４１は、胴部パネル２４の側端縁２４Ｂによって規定され、胴部パネル２４の水平方向の一方の端部側（胴部パネル２２側）で胴部パネル２３の幅よりも広くなっている。このように、幅広部２４１を胴部パネル２４の水平方向の一方の端部側にのみ設けることで、ゲーブルトップ型容器１の把持性を向上させつつ、ケースへの収容性も確保している。幅広部２４１は、底部３から筒状胴部２の高さの３０％以上８０％以下の範囲内の位置に設けられることが好ましい。このような範囲に幅広部２４１を設けることにより、利用者がゲーブルトップ型容器１を把持する傾向にある高さ位置に幅広部２４１が配置されるので、ゲーブルトップ型容器１の把持性を効果的に向上できる。例えば、容量が１Ｌのゲーブルトップ型容器１の場合、筒状胴部２の高さが約２０ｃｍあるので、幅広部２４１の高さを１０ｃｍとし、下側の同幅部２４２の高さを６ｃｍとし、上側の同幅部２４３の高さを４ｃｍとしてもよい。
【００２２】
シールパネル２５は、幅広部２５１および同幅部２５２、２５３を備えている。
幅広部２５１は、胴部パネル２４の幅広部２４１に対応した形状とされ、水平方向の幅が同幅部２５２、２５３の幅よりも広くなっている。
同幅部２５２、２５３は、胴部パネル２４の同幅部２４２、２４３にシールされる部分であり、水平方向の幅が上下方向に一定に形成されている。
【００２３】
底部３は、底部縦折線３１Ｂ、３３Ｂ、３４Ｂを介して互いに連なるとともに、底部横折線３１Ａ、３２Ａ、３３Ａ、３４Ａを介して胴部パネル２１〜２４の下端に連なる４つの底部パネル３１〜３４と、底部パネル３２に底部縦折線３２Ｂを介して連なるとともに、シールパネル２５の下端に連なるシールパネル３５とを備えている。
底部パネル３１、３２には、一対の谷折線３１１、３２１が形成されている。
【００２４】
切妻屋根４は、互いに対向する一対の屋根パネル４１、４２と、一対の屋根パネル４１、４２の対向方向に交差する方向で互いに対向し、一対の屋根パネル４１、４２の間に折り込まれる一対の妻壁パネル４３、４４と、屋根パネル４２に上部縦折線４２Ｂを介して連なるとともに、シールパネル２５の上端に連なるシールパネル４５と、一対の屋根パネル４１、４２の上端部４１２、４２２および一対の妻壁パネル４３、４４の上端部４３５、４４５が接合されて形成されたトップシール４６とを備えている。一対の屋根パネル４１、４２および一対の妻壁パネル４３、４４は、妻壁パネル４４、屋根パネル４１、妻壁パネル４３、屋根パネル４２の順で水平方向に連なっている。
【００２５】
屋根パネル４１は、上下方向に延びる上部縦折線４１Ｂ、４４Ｂを介して妻壁パネル４３、４４に連なるとともに、水平方向に延びる上部横折線４１Ａを介して胴部パネル２１に連なっている。この屋根パネル４１は、水平方向に沿って形成された谷折線４１１と、谷折線４１１の上方に位置する上端部４１２と、谷折線４１１の下方に設けられ、上部縦折線４１Ｂに向かって下方（上部縦折線４１Ｂと上部横折線４１Ａとの交点Ｐ１に向かう方向）に傾斜した谷折線４１３とを備えている。
【００２６】
屋根パネル４２は、上下方向に延びる上部縦折線４３Ｂを介して妻壁パネル４３に連なるとともに、水平方向に延びる上部横折線４２Ａを介して胴部パネル２２に連なっている。この屋根パネル４２は、水平方向に沿って形成された谷折線４２１と、谷折線４２１の上方に位置する上端部４２２と、谷折線４２１の下方に設けられ、上部縦折線４３Ｂに向かって下方（上部縦折線４３Ｂと上部横折線４２Ａとの交点Ｐ２に向かう方向）に傾斜した谷折線４２３とを備えている。
【００２７】
妻壁パネル４３は、ゲーブルトップ型容器１の開封部を構成するパネルであり、水平方向に延びる上部横折線４３Ａを介して胴部パネル２３に連なっている。この妻壁パネル４３は、水平方向に沿って形成された山折線４３１と、交点Ｐ１、Ｐ２から山折線４３１の中央に位置する互いの交点Ｐ３まで延びる一対の谷折線４３２と、一対の谷折線４３２および上部横折線４３Ａに囲まれた第１折込部４３３と、第１折込部４３３を挟んだ両側（第１折込部４３３の水平方向両側）に設けられ、一対の屋根パネル４１、４２に連なる第２折込部４３４と、山折線４３１の上方に位置する上端部４３５とを備えている。
上端部４３５は、その水平方向の中央に交点Ｐ３から上方に延びる折返線４３６が設けられ、当該折返線４３６で折り返された状態でトップシール４６を形成する。
【００２８】
妻壁パネル４４は、ゲーブルトップ型容器１の非開封部を構成するパネルであり、水平方向に延びる上部横折線４４Ａを介して胴部パネル２４に連なっている。妻壁パネル４４は、妻壁パネル４３と同様に構成されているため、妻壁パネル４３の符号の先頭から２番目の３の記号を４に置き換えて図示し、その説明を省略する。
【００２９】
以上のゲーブルトップ型容器１は、図２に示すゲーブルトップ型容器用パネル１０から、次のような手順で形成される。
先ず、ゲーブルトップ型容器用パネル１０のシールパネル２５、３５、４５を胴部パネル２４、底部パネル３４、妻壁パネル４４に加熱シールし、カートンブランクを形成する。次いで、このカートンブランクを角筒状にする。この状態で、底部パネル３１、３２を谷折線３１１、３２１に沿って谷折りしながら、底部横折線３１Ａ、３２Ａにより底部パネル３３、３４間に内向きに折り込み、底部パネル３３、３４と重ね合わせる。そして、底部パネル３１〜３４の重ね合わせ部分全体を加熱シールし、底部３を形成する。
【００３０】
その後、谷折線４３２、４４２で第２折込部４３４、４４４を折り返しながら、上部横折線４３Ａ、４４Ａで第１折込部４３３、４４３を内向きに折り込んで、屋根パネル４１、４２の間に妻壁パネル４３、４４を折り込む。この際、屋根パネル４１、４２は、妻壁パネル４３、４４の折り込みに連動して、上部横折線４１Ａ、４２Ａにより内向きに折り曲げられる。そして、屋根パネル４１、４２を谷折線４１１、４２１に沿って谷折りするとともに、妻壁パネル４３、４４を山折線４３１、４４１に沿って山折りし、折返線４３６、４４６で折り返された妻壁パネル４３、４４の上端部４３５、４４５を屋根パネル４１、４２の上端部４１２、４２２間に介在させる。そして、上端部４１２、４２２、４３５、４４５を互いに加熱シールし、トップシール４６を形成する。
【００３１】
ゲーブルトップ型容器１を開封する際は、妻壁パネル４３側で一対の屋根パネル４１、４２の間に指を差し入れつつ、屋根パネル４１、４２を互いに離反させ、屋根パネル４１、４２および妻壁パネル４３を後方に折り返す。この状態で、左右方向からトップシール４６に力をかけながら妻壁パネル４３を前方に突出させることにより、屋根パネル４１、４２から妻壁パネル４３を剥離させて開封する。これにより、妻壁パネル４３によって注ぎ口が形成され、利用者がゲーブルトップ型容器１を把持しながら注ぎ口側を前傾させることにより、当該注ぎ口から内部の飲料液体等を注ぐことが可能となる。
【００３２】
この際、図３に示すように、開封部側の胴部パネル２３が下側に位置し、非開封部の胴部パネル２４が上側に位置する。この場合、上側に位置する胴部パネル２４が、下側に位置する胴部パネル２３よりも幅広になっているため、利用者が筒状胴部２を把持しやすくなり、簡易な構造でゲーブルトップ型容器１の把持性を向上できる。
その上、把持力による筒状胴部２の凹みは、図４に示すように、幅広部２４１がない場合の凹み量Ｗ１に比べ、幅広部２４１がある場合側の凹み量Ｗ２の方が大きくなる。胴部縦折線２２Ａ、２４Ａは、ゲーブルトップ型容器１の他の部分よりも剛性が高く、凹み量Ｗ１、Ｗ２が大きいほど、利用者が指でゲーブルトップ型容器１を支える効果が高くなり、把持性をより向上できる。
【００３３】
以上のような実施形態によれば、飲料液体等を注ぐ際に上方側に位置する非開封部側の胴部パネル２４に、下方側に位置する開封部側の胴部パネル２３の幅よりも広がった幅広部２４１を設けたので、簡易な構造でゲーブルトップ型容器１の把持性を向上できる。
【００３４】
また、非開封部側の胴部パネル２４と開封部側の胴部パネル２３とを底部３側で同じ幅にしたので、筒状胴部２における底部３側の領域が幅方向に突出せず、複数のゲーブルトップ型容器１をケースに収容する際に、ゲーブルトップ型容器１同士が干渉することを抑制できる。
【００３５】
また、利用者がゲーブルトップ型容器１を把持する傾向にある高さ位置に幅広部２４１が設けられるため、ゲーブルトップ型容器１の把持性を効果的に向上できる。
【００３６】
また、ゲーブルトップ型容器１が牛乳、乳飲料、ジュース等の飲料液体やヨーグルト、ゼリー等のゲル状食品の収容に用いられるため、ゲーブルトップ型容器１の汎用性を活かすことができる。
【００３７】
なお、本発明は前述した実施形態に限定されるものではなく、本発明の目的を達成できる範囲での変形、改良等は本発明に含まれる。
例えば、ゲーブルトップ型容器１は、屋根パネル４１、４２の一方に開封部としての口栓が設けられたものであってもよい。この場合、口栓が設けられた一方の屋根パネル４１、４２に連なる一方の胴部パネル２１、２２が開封部側となり、口栓が設けられていない他方の屋根パネル４１、４２に連なる他方の胴部パネル２１、２２が非開封部側となる。
【００３８】
胴部パネル２４は、幅広部２４１を備えていなくてもよく、図５に示すように矩形形状とされてもよい。この場合、胴部パネル２４は、シールパネル２５に幅広部２５１が露出するようにシールされ、この露出部分により胴部パネル２４が幅広部２５１を備えることになる。
胴部パネル２４は、水平方向の一方の端部側（胴部パネル２２側）ではなく、水平方向の他方の端部側（胴部パネル２１側）に幅広部２４１を備えていてもよいし、水平方向の両方の端部に幅広部２４１を備えていてもよいし、上下に複数の幅広部２４１を備えていてもよい。
胴部パネル２４は、水平方向の端部の上端から下端までを幅広部２４１としてもよい。この場合、幅広部２４１における底部３側の領域は、できる限り胴部パネル２３の幅に近付けることが好ましい。
胴部パネル２４は、幅広部２４１の下方だけに同幅部２４２を備えていてもよい。
【００３９】
胴部パネル２４の側端縁２４Ｂや胴部縦折線２２Ａは、幅広部２４１、２５１を形成可能なものであれば形状は限定されず、例えば、複数の直線を組み合わせたものや、直線と曲線を組み合わせたもので構成されてもよいし、正弦波形、矩形波形、三角波形等の波形状に形成されてもよい。
【００４０】
前記実施形態では、シールパネル３５、４５は、同幅をもって形成されているが、これに限られず、シールパネル３５、４５をそれぞれ異なる幅に形成してもよい。また、シールパネル３５、４５は、上下方向で幅寸法が一定である必要はなく、幅寸法を部分的に変えてもよい。
【００４１】
前記実施形態では、上部横折線４１Ａ、４２Ａ、４３Ａ、４４Ａは、直線状に形成されていたが、これに限られず、曲線状に形成されてもよい。例えば、上部横折線４１Ａ、４２Ａ、４３Ａ、４４Ａは、下に向かって凸状の曲線であってもよい。
【００４２】
本発明は、牛乳やジュース等の飲料液体や、ヨーグルトやゼリー等のゲル状食品を収容可能な様々なゲーブルトップ型容器１に利用できる。
【符号の説明】
【００４３】
１…ゲーブルトップ型容器、２…筒状胴部、３…底部、４…切妻屋根、２１〜２４…胴部パネル、２４１…幅広部、２４２…同幅部、４１、４２…屋根パネル、４３、４４…妻壁パネル、４６…トップシール、４１２、４２２、４３５、４４５…上端部。
【図１】
2019123540.tif 000003
【図２】
2019123540.tif 000004
【図３】
2019123540.tif 000005
【図４】
2019123540.tif 000006
【図５】
2019123540.tif 000007